(57)【特許請求の範囲】
【請求項１】
メイン基板に対して液晶部材及びサブ基板を取り付ける電子機器であって、
前記液晶部材の接点部に接続する接点部を含む第１のフレキシブル基板部を前記サブ基板に設け、
前記メイン基板に接続するスタッキングコネクタ及び前記サブ基板の接点部に接続する接点部とを含む第２のフレキシブル基板部を前記液晶部材に設け、
前記液晶部材の接点部と前記サブ基板の接点部とを接続するゴムコネクタとともに前記メイン基板と前記サブ基板と前記液晶部とをフロントケース及びリアカバーにて収容することを特徴とする電子機器。
【請求項２】
前記第２のフレキシブル基板において、前記スタッキングコネクタが搭載されている面の反対面に前記接点部を設け、その接点部と別のサブ基板の接点部とを前記ゴムコネクタにて接続することを特徴とする請求項１記載の電子機器。
【請求項３】
前記ゴムコネクタの復帰弾性力にて前記スタッキングコネクタの抜け防止を図ることを特徴とする請求項１または請求項２記載の電子機器。
【請求項４】
前記スタッキングコネクタ上にて別の基板との接続を行うことを特徴とする請求項１から請求項３のいずれか記載の電子機器。
【請求項５】
前記フロントケース及びリアカバーのうちの少なくとも一方に前記サブ基板及び前記ゴムコネクタを取り付けることを特徴とする請求項１から請求項４のいずれか記載の電子機器。
【請求項６】
メイン基板に対して液晶部材及びサブ基板を取り付ける電子機器に用いるコネクタ接続構造であって、
前記液晶部材の接点部に接続する接点部を含む第１のフレキシブル基板部を前記サブ基板に設け、
前記メイン基板に接続するスタッキングコネクタ及び前記サブ基板の接点部に接続する接点部とを含む第２のフレキシブル基板部を前記液晶部材に設け、
前記液晶部材の接点部と前記サブ基板の接点部とを接続するゴムコネクタとともに前記メイン基板と前記サブ基板と前記液晶部とをフロントケース及びリアカバーにて収容することを特徴とするコネクタ接続構造。
【請求項７】
前記第２のフレキシブル基板において、前記スタッキングコネクタが搭載されている面の反対面に前記接点部を設け、その接点部と別のサブ基板の接点部とを前記ゴムコネクタにて接続することを特徴とする請求項６記載のコネクタ接続構造。
【請求項８】
前記ゴムコネクタの復帰弾性力にて前記スタッキングコネクタの抜け防止を図ることを特徴とする請求項６または請求項７記載のコネクタ接続構造。
【請求項９】
前記スタッキングコネクタ上にて別の基板との接続を行うことを特徴とする請求項６から請求項８のいずれか記載のコネクタ接続構造。
【請求項１０】
前記フロントケース及びリアカバーのうちの少なくとも一方に前記サブ基板及び前記ゴムコネクタを取り付けることを特徴とする請求項６から請求項９のいずれか記載のコネクタ接続構造。
【発明の詳細な説明】
【技術分野】
【０００１】
本発明は電子機器及びそれに用いるコネクタ接続構造に関し、特に電子機器のメイン基板に対して液晶部やサブ基板を取り付ける際のコネクタ接続構造に関する。
【背景技術】
【０００２】
従来、この種のコネクタ接続構造においては、電子機器のメイン基板に対して液晶部やサブ基板を取り付ける場合、基板間を接続するスタッキングコネクタ等のコネクタを平面状に並べ（例えば、特許文献１参照）、コネクタを介してメイン基板に液晶部やサブ基板を取り付けている。
【０００３】
また、上記のスタッキングコネクタを使用する場合には、落下衝撃や振動等でスタッキングコネクタが抜けるのを防止するために、抜け防止のクッションを取り付けている。
【０００４】
【特許文献１】特開２００４−２２０９０２号公報
【発明の開示】
【発明が解決しようとする課題】
【０００５】
上述した従来のコネクタ接続構造では、メイン基板に液晶部やサブ基板を取り付ける場合、スタッキングコネクタ等のコネクタを平面状に並べなければならず、メイン基板上の実装効率を悪化させてしまうという問題がある。
【０００６】
また、従来のコネクタ接続構造では、落下衝撃や振動等でスタッキングコネクタが抜けるのを防止するために、抜け防止のクッションを取り付けなければならず、部品点数を増加させてしまうという問題もある。
【０００７】
そこで、本発明の目的は上記の問題点を解消し、メイン基板上の実装部品の削減及びその実装の効率化を図ることができる電子機器及びそれに用いるコネクタ接続構造を提供することにある。
【課題を解決するための手段】
【０００８】
本発明による電子機器は、メイン基板に対して液晶部材及びサブ基板を取り付ける電子機器であって、
前記液晶部材の接点部に接続する接点部を含む第１のフレキシブル基板部を前記サブ基板に設け、
前記メイン基板に接続するスタッキングコネクタ及び前記サブ基板の接点部に接続する接点部とを含む第２のフレキシブル基板部を前記液晶部材に設け、
前記液晶部材の接点部と前記サブ基板の接点部とを接続するゴムコネクタとともに前記メイン基板と前記サブ基板と前記液晶部とをフロントケース及びリアカバーにて収容している。
【０００９】
本発明によるコネクタ接続構造は、メイン基板に対して液晶部材及びサブ基板を取り付ける電子機器に用いるコネクタ接続構造であって、
前記液晶部材の接点部に接続する接点部を含む第１のフレキシブル基板部を前記サブ基板に設け、
前記メイン基板に接続するスタッキングコネクタ及び前記サブ基板の接点部に接続する接点部とを含む第２のフレキシブル基板部を前記液晶部材に設け、
前記液晶部材の接点部と前記サブ基板の接点部とを接続するゴムコネクタとともに前記メイン基板と前記サブ基板と前記液晶部とをフロントケース及びリアカバーにて収容している。
【００１０】
すなわち、本発明のコネクタ接続構造は、メイン基板と、液晶部の接点部と接続するための接点部を持つフレキシブル基板部を備えたサブ基板と、メイン基板と接続するスタッキングコネクタ及びサブ基板との接点部を持つフレキシブル基板部を備えた液晶部と、液晶部の接点部とサブ基板の接点部とを接続するゴムコネクタと、メイン基板とサブ基板と液晶部とを組み込むフロントケース及びリアカバーとから構成される。
【００１１】
これによって、本発明のコネクタ接続構造では、スタッキングコネクタの上で別のサブ基板の接続を行う構造としているので、メイン基板上の実装部品の削減とその実装の効率化とを図ることが可能となる。
【００１２】
また、本発明のコネクタ接続構造では、ゴムコネクタの復帰弾性力によってスタッキングコネクタの抜けの防止と、フレキシブル基板同士のゴムコネクタによる接続にて信頼性の確保とを図ることが可能となる。
【００１３】
さらに、本発明のコネクタ接続構造では、ゴムコネクタが通常必要なスタッキングコネクタの抜け防止クッションの役割を果たしているので、部品削減の効果がある。さらにまた、本発明のコネクタ接続構造では、サブ基板とゴムコネクタとをリアカバーに取り付けることも可能にするため、筐体内での空間の有効活用が可能となる。
【発明の効果】
【００１４】
本発明は、以下に述べるような構成及び動作とすることで、メイン基板上の実装部品の削減及びその実装の効率化を図ることができるという効果が得られる。
【発明を実施するための最良の形態】
【００１５】
次に、本発明の実施例について図面を参照して説明する。図１は本発明の一実施例によるコネクタ接続構造の分解斜視図であり、図２は本発明の一実施例による電子機器のコネクタ接続構造の横断面図である。
【００１６】
これら図１及び図２において、本発明の一実施例によるコネクタ接続構造において、メイン基板１には、液晶部３のスタッキングコネクタ５と接続するためのスタッキングコネクタ２を設け、液晶部３にはスタッキングコネクタ５とその搭載面の反対面に接点部６を有するフレキシブル基板部４を設けている。
【００１７】
サブ基板７には、組立時に液晶部３の接点部６と対向する面に接点部９を有するフレキシブル基板部８と、それを接続するために十分な復帰弾性力を有するゴムコネクタ１０とを設けている。フロントケース１１にはメイン基板１と液晶部３とサブ基板７とが組み込まれ、リアカバー１２にはゴムコネクタ１０の押さえリブ１３を有している。
【００１８】
上記の図１及び図２を参照して本発明の一実施例によるコネクタ接続構造の動作について説明する。
【００１９】
メイン基板１のスタッキングコネクタ２に液晶部３のスタッキングコネクタ５を接続し、その反対面の接点部６の上にゴムコネクタ１０を配置し、サブ基板７の接点部９がゴムコネクタ１０に接触する向きにサブ基板７を取り付ける。
【００２０】
このユニットになったメイン基板１、液晶部３及びサブ基板７をフロントケース１１に組み込み、リアカバー１２を被せることで、押さえリブ１３とスタッキングコネクタ２，５とを介してメイン基板１がフレキシブル基板部８とゴムコネクタ１０とを挟み込むことになる。
【００２１】
このように、本実施例では、スタッキングコネクタ２，５の上で別のサブ基板７の接続を行う構造としているので、メイン基板１上の実装部品を削減することができ、それらの部品の実装を効率的に行うことができる。
【００２２】
また、本実施例では、ゴムコネクタ１０の復帰弾性力によってスタッキングコネクタ２，５の抜けを防止することができ、ゴムコネクタ１０によってフレキシブル基板４，８同士の接続信頼性を確保することができる。
【００２３】
さらに、本実施例では、ゴムコネクタ１０が通常必要なスタッキングコネクタ２，５の抜け防止クッションの役割を果たしているので、従来よりも実装部品を削減することができる。
【００２４】
さらにまた、本実施例では、サブ基板７とゴムコネクタ１０とをリアカバー１２に取り付けることも可能であるため、筐体内での空間（フロントケース１１とリアカバー１２とで形成される空間）の有効活用を図ることができる。
【００２５】
尚、本発明は、上記の実施例において、液晶部としている部分を別のサブ基板にすることも可能である。また、本発明は、サブ基板７の取り付け位置に関して、メイン基板１側に取り付けるとしているが、本構成からリアカバー１２等の筐体にサブ基板７及びゴムコネクタ１０を取り付けることも可能である。
【図面の簡単な説明】
【００２６】
【図１】本発明の一実施例によるコネクタ接続構造の分解斜視図である。
【図２】本発明の一実施例による電子機器のコネクタ接続構造の横断面図である。
【符号の説明】
【００２７】
１  メイン基板
２，５  スタッキングコネクタ
３  液晶部
４，８  フレキシブル基板部
６，９  接点部
７  サブ基板
１０  ゴムコネクタ
１１  フロントケース
１２  リアカバー
１３  押さえリブ
【図１】
0004600224.tif 000002
【図２】
0004600224.tif 000003